(57)【要約】【課題】使用者の洗浄水による痛みを緩和し、様々な感触での洗浄が可能であり、局部の洗浄効果が大きい局部洗浄装置を提供する。【解決手段】便器１に取り付けられる局部洗浄装置２であって、局部洗浄装置２は洗浄部と制御部と操作部とを有しており、操作部を操作して洗浄部の駆動モードを設定することにより、洗浄部から洗浄水が噴射される局部洗浄装置であって、洗浄部には洗浄水が配給される複数本の給水管１２ａ，１２ｂが設けられ、複数本設けられた給水管１２ａ，１２ｂのそれぞれの終端部には、給水管１２ａ，１２ｂ内を通過した洗浄水６が吐出される噴射口１７ａ，１７ｂが設けられていて、駆動モードとして洗浄部の複数個の噴射口１７ａ，１７ｂから洗浄水６が一度に吐出できるモードが設定可能であることを特徴とする局部洗浄装置２。【選択図】  図１
2005325512.tif 000002
【特許請求の範囲】
【請求項１】
局部を洗浄するための洗浄部と前記洗浄部の駆動を制御する制御部と前記洗浄部の駆動モードを設定する操作部とを有しており、
前記操作部を操作して駆動モードを設定することで前記制御部に駆動モードに対応する操作信号が送信され、前記制御部が前記操作信号を受信することによって、前記洗浄部から設定された駆動モードで洗浄水が噴射される局部洗浄装置であって、
前記洗浄部には前記洗浄水が配給される複数本の給水管が設けられ、
前記給水管のそれぞれの終端部には、前記給水管内を通過した前記洗浄水が吐出される噴射口が設けられていて、
前記駆動モードとして、前記洗浄部の複数個の前記噴射口から前記洗浄水が一度に吐出できるモードが設定可能であることを特徴とする局部洗浄装置。
【請求項２】
前記駆動モードとして、複数個の前記噴射口から一度に噴射される前記洗浄水がそれぞれ異なる水圧で噴射されるモードが設定可能であることを特徴とする請求項１記載の局部洗浄装置。
【発明の詳細な説明】
【技術分野】
【０００１】
本発明は便器に配設される局部洗浄装置に関するものである。
【背景技術】
【０００２】
便器に取り付けられる従来の局部洗浄装置は、洗浄部から臀部洗浄またはビデ洗浄の両ノズルが別々に延設されて、使用者は使用したい方を選択して局部を洗浄するといったものであった。このような局部洗浄装置のノズル内には洗浄水を配水する給水管が連通しており、給水管の終端部に設けられた噴出口から洗浄水が噴出される。
【０００３】
洗浄水の噴出方法としては、特許文献１のように、ノズル内に配設された一本の給水管の末端部に、異なる形状を有した複数の噴射口を設けて、ノズルの噴射口にノズルキャップを設け、該ノズルキャップを駆動装置によって動かせて、使用者は複数の噴射口のどちらか一方を選択して局部を洗浄できるといったものが知られている。
【特許文献１】特開平６-１０８５１６号公報
【発明の開示】
【発明が解決しようとする課題】
【０００４】
しかし、上記特許文献１のものには以下のような課題がある。使用者は複数の噴射口の中から一つを選択して局部を洗浄できるが、洗浄水は一つの噴射口からのみ噴射されるので、洗浄水は局部に一点集中して噴射されることになり、使用者が洗浄水の水圧で痛みを感じることがある。さらに、一方向からの噴射だけであるので、局部への洗浄水の当て方に限界がある。
【０００５】
本発明は上記課題に鑑みてなしたもので、その目的は使用者の洗浄水による痛みを緩和し、様々な感触での洗浄が可能であり、局部の洗浄効果が大きい局部洗浄装置を提供することにある。
【課題を解決するための手段】
【０００６】
請求項１に係る発明の局部洗浄装置は、局部を洗浄するための洗浄部と前記洗浄部の駆動を制御する制御部と前記洗浄部の駆動モードを設定する操作部とを有しており、前記操作部を操作して駆動モードを設定することで前記制御部に駆動モードに対応する操作信号が送信され、前記制御部が前記操作信号を受信することによって、前記洗浄部から設定された駆動モードで洗浄水が噴射されるものであって、前記洗浄部には前記洗浄水が配給される複数本の給水管が設けられ、前記給水管のそれぞれの終端部には、前記給水管内を通過した前記洗浄水が吐出される噴射口が設けられていて、前記駆動モードとして、前記洗浄部の複数個の前記噴射口から前記洗浄水が一度に吐出できるモードが設定可能であることを特徴とする。
【０００７】
請求項２に係る発明の局部洗浄装置は、請求項１に記載の局部洗浄装置において、前記駆動モードとして、複数個の前記噴射口から一度に噴射される前記洗浄水がそれぞれ異なる水圧で噴射されるモードが設定可能であることを特徴とする。
【発明の効果】
【０００８】
請求項１に係る発明の局部洗浄装置によれば、洗浄水の噴射口が複数個設けられており、これら複数の噴射口から一度に洗浄水が噴射される。複数の噴射口からの洗浄水は、局部に向かって異なる角度で一度に噴射されることにより、ベクトルの違う複数の洗浄水が局部を狙うため、一点から噴射された洗浄水が局部の一点に当たる時よりも、洗浄水が局部に当たる面積が広くなり、使用者が洗浄水の一点集中による痛みを緩和することができて、複数本の洗浄水による水量増加で局部の洗浄力が向上する。
【０００９】
請求項２に係る発明の局部洗浄装置によれば、それぞれの噴射口から噴射される洗浄水の水圧が異なっていることにより、様々な洗浄感で洗浄することができる。
【発明を実施するための最良の形態】
【００１０】
以下、本発明を実施形態に基づいて説明する。
【００１１】
（実施形態１）
図１は本発明の局部洗浄装置２のノズル部の拡大図である。図２は便器１に装着された本発明の局部洗浄装置２の斜視図である。また、図３は本発明の局部洗浄装置２の構造を示した断面図である。
【００１２】
図２に例示したように、便所の床面に取り付けられた便器１に局部洗浄装置２が設けられている。便器１は便鉢３と、便鉢３の上面かつ後方にあたるところに設けられて便鉢３上面に倒伏する便座４と、該便座４の上方に倒伏する便蓋４ａと、便器１の最奥側に設けられた貯水タンク５とで成り立っている。本発明の局部洗浄装置２は便鉢３の上方であって、貯水タンク５の前面側に設けられている。
【００１３】
本発明の局部洗浄装置２の構造を図３に基づいて説明する。使用者の局部を洗浄するための洗浄水６は次のようにして送水される。局部洗浄装置２は大別して洗浄水６の通り道である洗浄部２ａと洗浄部２ａの動作を制御する制御部２ｂと洗浄部２ａの駆動モードを設定する操作部２ｃとに分けられる。まず、洗浄部２ａにおいて、洗浄水６は局部洗浄装置２外部の貯水タンク５に貯留されている水を給水ホースによって、局部洗浄装置２内のポンプ７まで送水される。次いで、モータ８の回転によってポンプ７から温水タンク９に送水される。温水タンク９内に設けられたヒータ１０により、温水タンク９に貯留された洗浄水６は加熱される。加熱され、暖められた洗浄水６は電磁弁１１に送水されて、操作部２ｃの切り替えにより電磁弁１１が操作され、洗浄部２ａにおいて外部に噴出されるための複数の給水管が選択されるような駆動モードが機能する。給水管としては大別して肛門洗浄用の給水管（以下、臀部給水管１２と呼ぶ）と女性局部洗浄用の給水管（以下、ビデ給水管１３と呼ぶ）の２つの給水管が設けられている。臀部給水管１２には第一臀部給水管１２ａと第二臀部給水管１２ｂの二種類の給水管が設けられており、該２つの給水管は臀部洗浄ノズル１４に連通している。また、ビデ給水管１３はビデ洗浄ノズル１５に連通している。
【００１４】
ここで、臀部洗浄ノズル１４およびビデ洗浄ノズル１５の構造と洗浄水６が給水管を通って使用者の局部にたどり着くまでの過程を図１を基にして説明する。はじめに臀部洗浄ノズル１４の構造について説明する。臀部洗浄ノズル１４は中空の棒状であり、電磁弁１１から延設された二本の第一臀部給水管１２ａと第二臀部給水管１２ｂとが連通している。臀部洗浄ノズル１４はノズル駆動体１６に挿入されており、臀部洗浄ノズル１４は使用時にはノズル駆動体１６から便鉢３内に向かってスライドして飛び出てきて、未使用時にはノズル駆動体１６に収納される仕組みになっている。
【００１５】
臀部洗浄ノズル１４の終端部、つまり便鉢３の内部に突出された臀部洗浄ノズル１４の先端部には、第一臀部給水管１２ａおよび第二臀部給水管１２ｂを通ってきた洗浄水６が噴射される、第一臀部噴射口１７ａおよび第二臀部噴射口１７ｂが第一臀部給水管１２ａおよび第二臀部給水管１２ｂに各々対応して設けられている。第一臀部噴射口１７ａおよび第二臀部噴射口１７ｂの形状は、第一臀部噴射口１７ａおよび第二臀部噴射口１７ｂから噴射される洗浄水６が使用者の局部めがけて一直線に噴射されるように形成するのがよい。また、第一臀部噴射口１７ａおよび第二臀部噴射口１７ｂは臀部洗浄ノズル１４の上面付近に各々設けられているが、その位置関係は、第一臀部噴出口１７ａおよび第二臀部噴出口１７ｂの双方から一度に洗浄水６が噴出されている時に、局部に好みの感触で当たるような角度を成す位置関係であればよい。
【００１６】
次に、洗浄水６の噴出方法について図１に基づいて説明する。操作部２ｃ（図示せず）に設けられた臀部洗浄の操作ボタン２ｄ（図示せず）を押すと、ノズル駆動体１６に格納されていた臀部洗浄ノズル１４が便鉢３内にスライドしてきて、所定の位置でスライド動作が止まって固定される。すると、第一臀部給水管１２ａと第二臀部給水管１２ｂに洗浄水６が送水され、第一臀部噴出口１７ａと第二臀部噴出口１７ｂとから洗浄水６が噴出される。洗浄水６は第一臀部噴出口１７ａと第二臀部噴出口１７ｂとから略同時に噴出されてもよいし、始めにどちらかの噴出口から洗浄水６が噴出され、続いて他方の噴出口から洗浄水６が噴出されてもよい。いずれにせよ、局部を複数方向からの洗浄水６によって洗浄できていればよい。第一臀部給水管１２ａと第二臀部給水管１２ｂから噴出される洗浄水６の相互の水量および水圧は異なっているとよい。このことにより、使用者の局部に当たる感触のバリエーションが増えて、自分の好みの感触で局部を洗浄することができる。そのため、洗浄部２ａには水量調節の駆動モードを設けておくとよい。
【００１７】
第一臀部噴出口１７ａおよび第二臀部噴出口１７ｂの二箇所から噴出された洗浄水６は局部に向かって集まっていく。このように異なる角度から二本の洗浄水６が局部に当たることにより、一点で通常の二倍の水流が当たって洗浄力が向上する。また、噴射角度が違う二本の洗浄水６が局部に当たる面積は一本の洗浄水を噴射した時よりも広くなる。よって、一本の洗浄水で局部の一点に集中して噴射される時に起こる使用者の局部の痛みが緩和されることになる。局部の洗浄が終わると、操作ボタン２ｄ（図示せず）を押して、洗浄を止める信号を制御部２ｂ（図示せず）に送ると、温水タンク９（図示せず）からの送水が止められて、第一臀部噴射口１７ａと第二臀部噴射口１７ｂからの洗浄水６の噴射が止まり、その後、便鉢３内に飛び出ている臀部洗浄ノズル１４がノズル駆動体１６の中に収納される方向にスライドし、ノズル駆動体１６の中に格納される。
【００１８】
本実施形態の場合、臀部洗浄ノズル１４には二本の給水管が連通されおり、噴出口も夫々二箇所に設けられていたが、ビデ洗浄ノズル１５にも同様に複数の給水管と夫々に対応した噴出口が設けられていてもよい。さらに、ビデ洗浄ノズル１５のみに複数の給水管と夫々に対応した噴出口が設けられていてもよい。
【００１９】
ビデ洗浄ノズル１５の噴射口の場合、シャワー状の複数個の孔が開いた噴射口である場合が多いが、複数個の孔をまとめて一つの噴射口としてみなし、臀部洗浄ノズル１４と同様な形態をとればよい。構造、洗浄水６の噴出方法等は上記臀部洗浄ノズル１４の場合と同様である。
【００２０】
（実施形態２）
図４は本発明の局部洗浄装置２の他の実施形態の斜視図であり、図５は本発明の局部洗浄装置２の他の実施形態の構造を示した断面図である。
【００２１】
図２に例示したような便器１に本発明の局部洗浄装置２は取り付けられる。
【００２２】
ここで本発明の局部洗浄装置２の構造を図５に基づいて説明する。洗浄部２ａにおける電磁弁１１までの洗浄水６の流水通路は実施形態１と同様であり、操作部２ｃで洗浄部２ａの駆動モードをすることにより洗浄水６が送水される。流水通路としては臀部給水管１２とビデ給水管１３との２つの給水管が設けられている。臀部給水管１２には第一臀部給水管１２ａと第二臀部給水管１２ｂの二種類の給水管が設けられており、第一臀部給水管１２ａは第一臀部ノズル１４ａに、第二臀部給水管１２ｂは第二臀部ノズル１４ｂにそれぞれ連通している。また、ビデ給水管１３はビデ洗浄ノズル１５に連通している。
【００２３】
ここで、臀部洗浄ノズル１４およびビデ洗浄ノズル１５の構造と洗浄水６が給水管を通って使用者の局部にたどり着くまでの過程は実施形態１と同様である。
【００２４】
第一臀部洗浄ノズル１４ａの終端部、つまり便鉢３の内部に突出された第一臀部洗浄ノズル１４ａの先端部には、第一臀部給水管１２ａを通ってきた洗浄水６が噴射される、第一臀部噴射口１７ａが設けられている。また、第二臀部洗浄ノズル１４ｂの終端部、つまり便鉢３の内部に突出された第二臀部洗浄ノズル１４ｂの先端部には、第二臀部給水管１２ｂを通ってきた洗浄水６が噴射される、第二臀部噴射口１７ｂが設けられている。第一臀部噴射口１７ａおよび第二臀部噴射口１７ｂの形状は、第一臀部噴射口１７ａおよび第二臀部噴射口１７ｂから噴射される洗浄水６が使用者の局部めがけて一直線に噴射されるように形成するのがよい。また、第一臀部噴射口１７ａおよび第二臀部噴射口１７ｂは第一臀部洗浄ノズル１４ａおよび第二臀部ノズル１４ｂの上面付近に各々設けられているが、その位置関係は、第一臀部噴出口１７ａおよび第二臀部噴出口１７ｂの双方から一度に洗浄水が噴出された時に、局部に好みの感触で当たるような角度を成す位置関係であればよい。
【００２５】
次に、洗浄水６の噴出方法について図４に基づいて説明する。操作部２ｃに設けられた臀部洗浄の操作ボタン２ｄ（図示せず）を押すと、ノズル駆動体１６に格納されていた第一臀部洗浄ノズル１４ａおよび第二臀部ノズル１４ｂが便鉢３内にスライドしてきて、所定の位置でスライド動作が止まって固定される。すると、第一臀部給水管１２ａと第二臀部給水管１２ｂとに洗浄水６が送水され、第一臀部噴出口１７ａと第二臀部噴出口１７ｂとから洗浄水６が噴出される。洗浄水６は第一臀部噴出口１７ａと第二臀部噴出口１７ｂとから略同時に噴出されてもよいし、始めにどちらかの噴出口から洗浄水６が噴出され、続いて他方の噴出口から洗浄水６が噴出されてもよい。いずれにせよ、局部を複数方向からの洗浄水６によって洗浄できていればよい。この時、便鉢３内に飛び出ている第一臀部ノズル１４ａと第二臀部ノズル１４ｂのノズル駆動体１６からの距離は異なっているとよい。すると局部に噴射される角度が大きく異なって、より幅広い噴射方法が得られる。さらに実施形態１と同様に第一臀部給水管１２ａと第二臀部給水管１２ｂとから噴出される洗浄水６の水量および水圧は異なっているとよい。そのために洗浄部２ａの駆動モードが異なった水量および水圧が得られるようになっているとよい。
【００２６】
第一臀部噴出口１７ａおよび第二臀部噴出口１７ｂの二箇所から噴出された洗浄水６は実施形態１と同様に局部に向かって集まっていき、局部に生じる痛みを緩和できる。局部の洗浄が終わると、操作ボタン２ｄ（図示せず）を押して、洗浄を止める操作信号を制御部２ｂ（図示せず）に送ると、温水タンク９からの送水が止められて、第一臀部噴射口１７ａと第二臀部噴射口１７ｂからの洗浄水６の噴射が止まり、その後、便鉢３内に飛び出ている第一臀部洗浄ノズル１４ａおよび第二臀部ノズル１４ｂとがノズル駆動体１６の中に収納される方向にスライドし、ノズル駆動体１６の中に格納される。
【００２７】
本実施形態の場合、第一臀部洗浄ノズル１４ａおよび第二臀部ノズル１４ｂの二本のノズルには夫々給水管が連通されおり、噴出口も夫々に設けられていたが、臀部洗浄ノズル１４は三本以上設けてもよい。
【００２８】
また、ビデ洗浄ノズル１５も複数本設け、同様に複数の給水管と夫々に対応した噴出口が設けられていてもよい。そして、ビデ洗浄ノズル１５のみを複数本設け、複数の給水管と夫々に対応した噴出口が設けられていてもよい。
【００２９】
ビデ洗浄ノズル１５の噴射口の場合、シャワー状の複数個の孔が開いた噴射口である場合が多いが、これは実施形態１と同様になる。
【図面の簡単な説明】
【００３０】
【図１】本発明の局部洗浄装置のノズル部の拡大図である。
【図２】本発明の局部洗浄装置が取り付けられた便器の全体図である。
【図３】本発明の局部洗浄装置の内部構造を示した断面図である。
【図４】本発明の局部洗浄装置の他の実施形態を示した拡大図である。
【図５】本発明の局部洗浄装置の他の実施形態を示したものであって、内部構造を示した断面図である。
【符号の説明】
【００３１】
１．便器
２．局部洗浄装置
３．便鉢
４．便座
５．貯水タンク
６．洗浄水
７．ポンプ
８．モータ
９．温水タンク
１０．ヒータ
１１．電磁弁
１２．臀部給水管
１２ａ．第一臀部給水管
１２ｂ．第二臀部給水管
１３．ビデ給水管
１４．臀部洗浄ノズル
１４ａ．第一臀部洗浄ノズル
１４ｂ．第二臀部洗浄ノズル
１５．ビデ洗浄ノズル
１６．ノズル駆動体
１７ａ．第一臀部噴射口
１７ｂ．第二臀部噴射口
【図１】
2005325512.tif 000003
【図２】
2005325512.tif 000004
【図３】
2005325512.tif 000005
【図４】
2005325512.tif 000006
【図５】
2005325512.tif 000007